(57)【要約】【課題】未通知情報を適切なタイミングで通知することを可能とした画像記録再生装置を提供する。【解決手段】画像記録再生装置１は、一定時間毎に、電源状態を問い合わせるコマンドを画像表示装置２に対して送信し、このコマンドに応じて返信される、電源状態を回答するためのコマンドを受信する。そして、この受信したコマンドに基づき、画像表示装置２が電源オフ状態から電源オン状態に変化していないかを調べる。画像表示装置２が電源オン状態に変化していたら、画像記録再生装置１は、自装置が出力する映像信号を表示するように入力切換を要求するコマンドを画像表示装置２に対して送信して、未通知情報を通知する画像の映像信号を画像表示装置２に対して送信する。【選択図】      図１
2009177602.tif 000002
【特許請求の範囲】
【請求項１】
表示装置が外部接続される画像記録再生装置において、
前記表示装置を介して通知すべき未通知情報を検出する検出手段と、
前記検出手段が未通知情報を検出した場合、前記表示装置の状態を監視して、前記表示装置が電源オフ状態であったとき、当該電源オフ状態から電源オン状態に移行したことを検出する監視手段と、
前記監視手段が前記表示装置の状態が電源オフ状態から電源オン状態へ移行したことを検出した場合、当該画像記録再生装置が出力した画像を表示対象とすべく前記表示装置の入力を切り換えさせる切換制御手段と、
前記検出手段が検出した未通知情報を通知するための画像を生成する生成手段と、
前記切換制御手段が入力を切り換えさせた前記表示装置に対して、前記生成手段が生成した画像を表示するための映像信号を前記表示装置に出力する出力手段と、
を具備することを特徴とする画像記録再生装置。
【請求項２】
前記表示装置に対する前記未通知情報の通知有無を設定する設定手段をさらに具備することを特徴とする請求項１記載の画像記録再生装置。
【請求項３】
前記監視手段は、
電源状態の回答を要求するコマンドを前記表示装置に送信するコマンド送信手段と、
前記コマンド送信手段が送信したコマンドに応答して前記表示装置から返信される電源状態を示す回答を受信するコマンド受信手段と、
を含むことを特徴とする請求項１記載の画像記録再生装置。
【請求項４】
前記監視手段は、前記コマンド送信手段によるコマンドの送信および前記コマンド受信手段によるコマンドの受信を所定間隔で繰り返し実行することを特徴とする請求項３記載の画像記録再生装置。
【請求項５】
前記検出手段は、当該画像記録再生装置が記録したテレビジョン放送番組データに関する情報を検出し、前記生成手段は、当該画像記録再生装置が記録したテレビジョン放送番組データの一覧を提示するための画像を生成することを特徴とする請求項１記載の画像記録再生装置。
【請求項６】
前記生成手段は、テレビジョン放送番組データを記録する記録装置の残容量を前記画像内に配置することを特徴とする請求項５記載の画像記録再生装置。
【請求項７】
表示装置と画像記録再生装置とが接続された画像記録再生システムにおいて、
前記表示装置は、
前記画像記録再生装置からの要求に応じて電源状態を回答する回答手段と、
前記画像記録再生装置からの要求に応じて入力を切り換える入力切換手段と、
前記画像記録再生装置から出力された画像を表示する表示手段と、
を具備し、
前記画像記録再生装置は、
前記表示装置を介して通知すべき未通知情報を検出する検出手段と、
前記検出手段が未通知情報を検出した場合、前記表示装置に対して電源状態の回答を要求し、前記表示装置から電源オフ状態の回答があったとき、前記電源状態の回答の要求を所定間隔で繰り返して、当該電源オフ状態から電源オン状態に移行したことを検出する監視手段と、
前記監視手段が前記表示装置の状態が電源オフ状態から電源オン状態へ移行したことを検出した場合、当該画像記録再生装置が出力した画像を表示対象とすべく入力を切り換える旨を前記表示装置に要求する切換制御手段と、
前記検出手段が検出した未通知情報を通知するための画像を生成する生成手段と、
前記切換制御手段が入力を切り換えさせた前記表示装置に対して、前記生成手段が生成した画像を表示するための映像信号を前記表示装置に出力する出力手段と、
を具備する
ことを特徴とする画像記録再生システム。
【請求項８】
表示装置が外部接続される画像記録再生装置の未通知情報表示方法であって、
前記画像記録再生装置が、
前記表示装置を介して通知すべき未通知情報を検出し、
前記未通知情報を検出した場合、前記表示装置の状態を監視して、前記表示装置が電源オフ状態であったとき、当該電源オフ状態から電源オン状態に移行したことを検出し、
前記表示装置の状態が電源オフ状態から電源オン状態へ移行したことを検出した場合、当該画像記録再生装置が出力した画像を表示対象とすべく前記表示装置の入力を切り換えさせ、
前記検出した未通知情報を通知するための画像を生成し、
前記入力を切り換えさせた前記表示装置に対して、前記生成した画像を表示するための映像信号を前記表示装置に出力する、
ことを特徴とする未通知情報表示方法。
【発明の詳細な説明】
【技術分野】
【０００１】
この発明は、例えば自動録画機能を有するＨＤ  ＤＶＤ（High Definition Digital versatile Disc）レコーダ等に適用して好適なユーザインタフェース技術に関する。
【背景技術】
【０００２】
近年、テレビジョン放送番組データをＨＤ（Hard disc）やＤＶＤ等の記録メディアに記録するビデオレコーダが広く普及している。この種のビデオレコーダは、（自装置に設けられたＬＥＤ等によってユーザインタフェースを取る機能に加えて）ケーブルを介して接続されるテレビジョン装置等にユーザインタフェース用の画像を表示させるための映像信号を出力する機能を備えるのが一般的であり、また、最近では、当該ケーブル経由で相手装置と動作制御用のコマンドを送受信する機能を備えるようになってきている。このようなことから、これらの機能を有効活用して、ユーザに対して各種情報を適宜に通知するための仕組みが種々提案され始めている（例えば特許文献１等参照）。
【０００３】
この特許文献１の再生装置では、何らかのエラーが発生した際、（ケーブルを介して接続される）表示装置が電源オフ状態であった場合、当該表示装置を自動的に電源オン状態に移行させ、エラーの詳細や対処方法を表示させている。これにより、エラー発生を迅速にユーザに通知することを実現している。
【特許文献１】特開２００７−１４１３４５号公報
【発明の開示】
【発明が解決しようとする課題】
【０００４】
ところで、最新のビデオレコーダでは、テレビジョン放送番組表データを取得し、ジャンルや出演者等、予めユーザが設定した条件に合致するテレビジョン放送番組データを自動的に記録する自動録画機能を備えるものも現れている。そのため、ユーザが知らない間に、かつ、ユーザも知らなかったテレビジョン放送番組データが記録されるという事象が発生し得る状況となってきている。ＨＤやＤＶＤの記録容量は有限であるので、エラー情報に限らず、どのようなテレビジョン放送番組データが自動記録されたのかを通知することが求められる。
【０００５】
また、省電力化の観点から、電源オフ状態にある表示装置をユーザの意思に関係なく自動的に電源オン状態に移行させることは好ましくなく、適切なタイミングで通知を行うことも併せて求められる。
【０００６】
この発明は、このような事情を考慮してなされたものであり、未通知情報を適切なタイミングで通知することを可能とした画像記録再生装置、画像記録再生システムおよび画像記録再生装置の未通知情報表示方法を提供することを目的とする。
【課題を解決するための手段】
【０００７】
前述した目的を達成するために、この発明の画像記録再生装置は、表示装置が外部接続される画像記録再生装置において、前記表示装置を介して通知すべき未通知情報を検出する検出手段と、前記検出手段が未通知情報を検出した場合、前記表示装置の状態を監視して、前記表示装置が電源オフ状態であったとき、当該電源オフ状態から電源オン状態に移行したことを検出する監視手段と、前記監視手段が前記表示装置の状態が電源オフ状態から電源オン状態へ移行したことを検出した場合、当該画像記録再生装置が出力した画像を表示対象とすべく前記表示装置の入力を切り換えさせる切換制御手段と、前記検出手段が検出した未通知情報を通知するための画像を生成する生成手段と、前記切換制御手段が入力を切り換えさせた前記表示装置に対して、前記生成手段が生成した画像を表示するための映像信号を前記表示装置に出力する出力手段と、を具備することを特徴とする。
【発明の効果】
【０００８】
この発明によれば、未通知情報を適切なタイミングで通知することが実現される。
【発明を実施するための最良の形態】
【０００９】
以下、図面を参照して、この発明の一実施形態を説明する。図１には、本実施形態に係る画像記録再生システムの構成例が示されている。図１に示すように、この画像記録再生システムは、画像記録再生装置１と画像表示装置２とをＨＤＭＩ（High-Definition Multimedia Interface）ケーブルＡで接続することで構成される。画像記録再生装置１と画像表示装置２は、各々ＣＥＣ（機器間双方向制御）機能を搭載する。よって、映像記録再生装置１と画像表示装置２とは、ＨＤＭＩケーブルＡを介して、画像信号および音声信号のみならず、接続相手を動作制御するための各種コマンド等を相互に送受信することができるようになっている。なお、画像表示装置２は、複数の入力系統を有しており、その中の１つに、ＨＤＭＩケーブルＡで接続された画像記録再生装置１が出力する映像信号を入力するための系統が割り当てられている。
【００１０】
また、図２には、画像記録再生装置１のシステム構成が示されている。図２に示すように、画像記録再生装置１は、メインＣＰＵ部１１、サブＣＰＵ部１２、チューナ部１３、メモリ部１４、記録再生処理部１５、ディスクドライブ部１６、ハードディスクドライブ部１７、ＨＤＭＩインタフェース部１８、ユーザ操作入力部１９および電源部２０等を有している。
【００１１】
まず、この画像記録再生装置１の基本機能を説明すると、第１に、チューナ部１３によって所望のテレビジョン放送番組データを入力し、このテレビジョン放送番組データを記録再生処理部１５によりディスクドライブ部１６経由またはハードディスクドライブ部１７経由で光ディスクまたはハードディスクに記録する（録画機能）。また、第２に、前述のように光ディスクまたはハードディスクに記録されたテレビジョン放送番組データを、記録再生処理部１５によりディスクドライブ部１６経由またはハードディスクドライブ部１７経由で読み出し、記録再生処理部１５が生成した当該テレビジョン放送番組データに対応する映像信号をＨＤＭＩインタフェース部１８により画像表示装置２に向けてＨＤＭＩケーブルＡに送出する（再生機能）。
【００１２】
メインＣＰＵ部１１は、この録画機能および再生機能を含む各種機能を実現するための当該画像記録再生装置１全体の制御を司り、メモリ部１４は、このメインＣＰＵ部１１に作業領域を提供する。
【００１３】
サブＣＰＵ部１２は、メインＣＰＵ部１１の負荷軽減のために設けられるフロントエンドプロセッサであり、例えば電源ボタン等であるユーザ操作入力部１９からの操作入力有無の監視や、各部の動作用電力を生成・供給する電源部２０の制御を司る。また、ＨＤＭＩインタフェース部１８は、ＨＤＭＩケーブルＡを介した画像信号および音声信号ならびに各種コマンド等の送受信を実行制御する。
【００１４】
このサブＣＰＵ部１２とＨＤＭＩインタフェース部１８とは、本画像記録再生装置１が電源オフの状態にある間も、電源部２０からの動作用電力の供給を受ける（図２中のハッチングは、この電源オフ中も電力供給が継続される部分を示す）。これにより、サブＣＰＵ部１２は、例えば本画像記録再生装置１の電源オンを要求するユーザ操作入力部１９からの操作入力を受け付けたり、ＨＤＭＩケーブルＡを介して画像表示装置２から送信されてくる、本画像記録再生装置１の電源オンを要求するコマンドを受け付けることが可能となる。これらを受け付けたサブＣＰＵ部１２は、メインＣＰＵ部１１を含む各部に対する動作用電力の供給を電源部２０に指示することにより、本画像記録再生装置１を電源オン状態に移行させる。
【００１５】
このような基本機能および構成をもつ本画像記録再生装置１は、更に、（例えばチューナ部１３経由で）テレビジョン放送番組表データを取得し、ジャンルや出演者等、予めユーザが設定した条件に合致するテレビジョン放送番組データを自動的に記録する自動録画機能を備えている。なお、自動録画機能については、テレビジョン放送番組表データによらず、例えば特定の曜日の特定の時間帯をユーザが指定することにより、毎週決まった時間帯のテレビジョン放送番組データを自動的に記録するものであっても構わない。
【００１６】
そして、この自動録画機能を備える本画像記録再生装置１は、当該自動録画機能によってテレビジョン放送番組データの自動記録を行った場合、その旨を適切なタイミングでユーザに通知する仕組みを備えたものであり、以下、この点について詳述する。
【００１７】
このテレビジョン放送番組データを自動記録した旨を適切なタイミングでユーザに通知するために、本画像記録再生装置１は、メインＣＰＵ部１１が、未通知情報表示有無設定部１１１、未通知情報検出部１１２、外部機器入力切換制御処理部１１３、未通知情報通知画像生成処理部１１４、出力処理部１１５を備える。また、サブＣＰＵ部１２が、電源状態要求コマンド送信処理部１２１、電源状態通知コマンド受信処理部１２２、電源オン変化検出部１２３を備える。
【００１８】
ここでは、自動記録したテレビジョン放送番組データのうち、その旨をユーザに対して通知していないテレビジョン放送番組データを未通知情報と称することとする。なお、未通知情報は、これに限定されるものではなく、種々の情報を適用できる。そして、メインＣＰＵ部１１の未通知情報表示有無設定部１１１は、この未通知情報の表示を行うか否かの動作設定を行う。図３は、本画像記録再生装置１が（画像表示装置２を介して）ユーザに提示する設定画面の一例を示す図である。
【００１９】
本画像記録再生装置１がメインメニュー画面として最初に提示するメニュー画面ａ１上の「７．自動録画通知設定」項目が選択されると、未通知情報の表示（自動録画通知）を行うか否かを設定するためのメニュー画面ａ２がサブメニュー画面として続いて提示される。そして、このメニュー画面ａ２上で、「ＹＥＳ」が選択されると、未通知情報表示有無設定部１１１は、未通知情報の表示を行うように動作設定する。一方、「ＮＯ」が選択された場合には、未通知情報表示有無設定部１１１は、未通知情報の表示を行わないように動作設定する。
【００２０】
この未通知情報表示有無設定部１１１によって、未通知情報の表示を行うように動作設定がなされた場合、未通知情報検出部１１２は、テレビジョン放送番組データの自動録画が行われたか否かを監視することにより、未通知情報の発生を検出する。そして、未通知情報検出部１１２は、テレビジョン放送番組データの自動録画が行われる毎に、未通知情報を検出した旨を示す信号をサブＣＰＵ部１２に送信する。
【００２１】
いま、画像表示装置２が電源オフ状態にある間に、１つ以上のテレビジョン放送番組データの自動録画が行われたと想定する。また、このテレビジョン放送番組データの自動録画を完了した本画像記録再生装置１も電源オフ状態に移行済みであるものと想定する。
【００２２】
この状況下において、（メインＣＰＵ部１１の）未通知情報検出部１１２からの上記信号を受信しているサブＣＰＵ部１２は、一定時間毎に、電源状態要求コマンド送信処理部１２１が、ＨＤＭＩインタフェース部１８経由で画像表示装置２に対して電源状態を問い合わせるコマンドを送信し、また、電源状態通知コマンド受信処理部１２２が、電源状態要求コマンド送信処理部１２１により送信されたコマンドに応じて画像表示装置２から返信される、電源状態を回答するためのコマンドをＨＤＭＩインタフェース部１８経由で受信する。そして、電源オン変化検出部１２３が、電源状態通知コマンド受信処理部１２２により受信されたコマンドに基づき、画像表示装置２が電源オフ状態から電源オン状態に移行したことを検出する。電源オン変化検出部１２３は、画像表示装置２が電源オフ状態から電源オン状態に移行したことを検出すると、電源部２０に対し、各部に対する動作用電力の供給開始を指示して本画像記録再生装置１を電源オン状態にすると共に、これによって動作を開始したメインＣＰＵ部１１に対し、画像表示装置２が電源オン状態に移行したことを示す信号を送信する。
【００２３】
（サブＣＰＵ部１２の）電源オン変化検出部１２３からの上記信号を受信したメインＣＰＵ部１１は、外部機器入力切換制御処理部１１３が、複数の入力系統の中から本画像記録再生装置１が出力する映像信号を入力する系統が選択されるように入力切換を行うことを要求するコマンドを、ＨＤＭＩインタフェース部１８経由で画像表示装置２に対して送信する。
【００２４】
また、未通知情報通知画像生成処理部１１４は、自動記録したテレビジョン放送番組データのうち、その旨をユーザに対して通知していないテレビジョン放送番組データを提示するための画像を生成する。本画像記録再生装置１では、自動記録したテレビジョン放送番組データを管理するために、図４に示すような管理テーブルを例えばハードディスク上にて管理する。
【００２５】
この管理テーブルは、各レコード（エントリ）が１つのテレビジョン放送番組データに対応しており、図示のように、「自動録画タイトル」、「録画日時」、「時間」、「記録先」、「通知フラグ」の各フィールドが設けられている。「通知フラグ」（ｂ１）以外の各フィールドには、各テレビジョン放送番組データに関する属性情報等が格納される。一方、「通知フラグ」（ｂ１）には、当該テレビジョン放送番組データの自動記録が通知済みか否か（”オン”：通知済み，”オフ”：未通知）を示す値が格納される。
【００２６】
そして、未通知情報通知画像生成処理部１１４は、この管理テーブルの「通知フラグ」フィールド（ｂ１）が”オフ”の値を示しているテレビジョン放送番組データを提示するための画像（未通知情報通知画像）を生成する。図５に、未通知情報通知画像生成処理部１１４によって生成される未通知情報通知画像の一例を示す。
【００２７】
図５に示すように、（図４に示した）管理テーブル上の「通知フラグ」（ｂ１）フィールドが”オフ”の値を示しているテレビジョン放送番組データのみがエリアｃ１に一覧表示されている。また、（図４に示した）管理テーブル上の「録画日時」フィールドの値が古い順に、テレビジョン放送番組データが、消去候補としてエリアｃ２に一覧表示されている。本画像記録再生装置１の自動録画機能は、テレビジョン放送番組データの記録先であるハードディスクの空き容量がなくなった場合、自動録画したテレビジョン放送番組データをその録画日時が古い順に消去していくことによって空き容量を確保する。エリアｃ２に一覧表示されているテレビジョン放送番組データは、このような事態が発生した場合に消去されていく優先度の高いものである。
【００２８】
未通知情報通知画像生成処理部１１４によって生成された未通知情報通知画像は、出力処理部１１５によって映像信号に変換され、ＨＤＭＩインタフェース部１８経由で画像表示装置２に対して送信される。出力処理部１１５は、この未通知情報通知画像を表示するための映像信号を画像表示装置２に向けて出力すると、（図４に示した）管理テーブルにアクセスし、”オフ”の値を格納している「通知フラグ」（ｂ１）フィールドを”オン”の値に更新する。
【００２９】
外部機器入力切換制御処理部１１３から送信されたコマンドによって、画像表示装置２は、本画像記録再生装置１が出力する映像信号を入力（表示）するように入力切換が行われているので、この出力処理部１１５によって出力された未通知情報通知画像を表示するための映像信号は、速やかに表示されることになる。従って、例えばユーザがテレビジョン放送番組を視聴しようとして画像表示装置２を電源オンしたとすると、この電源オンを契機として、当該画像表示装置２の入力系統が自動的に切り換わり、新たに自動記録されたテレビジョン放送番組データが通知されることになる。
【００３０】
画像表示装置２を電源オンしたということは、ユーザが画像表示装置２の使用を開始するという意思表示であるので、このタイミングが、（当該画像表示装置２を介して）新たに自動記録されたテレビジョン放送番組データを通知するための最適なタイミングであるといえる。
【００３１】
なお、画像表示装置２が電源オン状態にある間、即ち、何らかの映像を視聴している間に、テレビジョン放送番組データの自動録画が行われた場合については、当該自動録画が完了した時点で、強制的に入力系統を切り換えてその旨を通知したり、（本画像記録再生装置１からの映像を視聴している場合は）視聴中の映像に重畳させて通知したり、あるいは、一旦電源オフされた後、再び電源オンされた時に、前述の手順によって併せて通知したり等、種々の手法を仕様として採用することが可能である。
【００３２】
また、視点を画像表示装置２側に移すと、画像記録再生装置１と共に本実施形態の画像記録再生システムを構成する画像表示装置２は、画像記録再生装置１から送信される電源状態を問い合わせるコマンドを受信する機能および当該コマンドに応答して電源状態を回答するためのコマンドを画像記録再生装置１に返信する機能を備え、また、画像記録再生装置１から送信されるコマンドに応じて、当該画像記録再生装置１が出力する映像信号を入力する系統が選択されるように入力系統を切換える機能を備えている。
【００３３】
図６は、本画像記録再生装置１が実行する未通知情報の表示に関わる動作手順を示すフローチャートである。
【００３４】
画像記録再生装置１は、まず、ＨＤＭＩケーブルＡによって接続される画像表示装置２との間で、動作制御用のコマンドを送受信することが許可される相手であることを確認するための認証処理を実行する（ステップＡ１）。この認証処理を終了すると、画像記録再生装置１は、未通知情報を通知する設定となっているか否かを調べ（ステップＡ２）、未通知情報を通知する設定となっていたら（ステップＡ２のＹＥＳ）、続いて、未通知情報が存在するか否かを調べる（ステップＡ３）。
【００３５】
もし、未通知情報が存在したら、画像記録再生装置１は、一定時間毎に、電源状態を問い合わせるコマンドを画像表示装置２に対して送信すると共に（ステップＡ４）、このコマンドに応じて画像表示装置２から返信される、電源状態を回答するためのコマンドを受信する（ステップＡ５）。そして、この受信したコマンドに基づき、画像表示装置２が電源オフ状態から電源オン状態に変化していないかを調べる（ステップＡ６）。
【００３６】
画像表示装置２が電源オン状態に変化していたら（ステップＡ６のＹＥＳ）、画像記録再生装置１は、自装置が電源オフ状態であれば（ステップＡ７のＮＯ）、自装置を電源オン状態に移行させた上で（ステップＡ８）、自装置が出力する映像信号を表示するように入力切換を要求するコマンドを画像表示装置２に対して送信する（ステップＡ９）。そして、画像記録再生装置１は、未通知情報を通知する画像の映像信号を画像表示装置２に対して送信する（ステップＡ１０）。これにより、画像表示装置２上に、未通知情報が速やかに表示されることになる。
【００３７】
このように、本画像記録再生システムによれば、未通知情報を適切なタイミングで通知することが可能となる。
【００３８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３９】
【図１】この発明の一実施形態に係る画像記録再生システムの構成例を示す図
【図２】同実施形態の画像記録再生装置のシステム構成を示す図
【図３】同実施形態の画像記録再生装置が（画像表示装置を介して）ユーザに提示する設定画面の一例を示す図
【図４】同実施形態の画像記録再生装置が自動記録したテレビジョン放送番組データを管理するための管理テーブルを示す図
【図５】同実施形態の画像記録再生装置が（画像表示装置を介して）ユーザに提示する未通知情報通知画像の一例を示す図
【図６】同実施形態の画像記録再生装置が実行する未通知情報の表示に関わる動作手順を示すフローチャート
【符号の説明】
【００４０】
１…画像記録再生装置、２…画像表示装置、１１…メインＣＰＵ部、１２…サブＣＰＵ部、１３…チューナ部、１４…メモリ部、１５…記録再生処理部、１６…ディスクドライブ部、１７…ハードディスクドライブ部、１８…ＨＤＭＩインタフェース部、１９…ユーザ操作入力部、２０…電源部、１１１…未通知情報表示有無設定部、１１２…未通知情報検出部、１１３…外部機器入力切換制御処理部、１１４…未通知情報通知画像生成処理部、１１５…出力処理部、１２１…電源状態要求コマンド送信処理部、１２２…電源状態通知コマンド受信処理部、１２３…電源オン変化検出部１２３、Ａ…ＨＤＭＩケーブル。
【図１】
2009177602.tif 000003
【図２】
2009177602.tif 000004
【図３】
2009177602.tif 000005
【図４】
2009177602.tif 000006
【図５】
2009177602.tif 000007
【図６】
2009177602.tif 000008